(57)【要約】【課題】空中線電力を基準範囲内にできる無線送信装置において、回路構成を簡素化し且つ消費電力を低減すること。【解決手段】  自己に設定される設定値及び自己に供給される電源電圧に応じた空中線電力にて電波を送信する感知器１００であって、複数の電源電圧の値と、複数の電源電圧の値において空中線電力が基準範囲内となる複数の設定値とを対応付けている情報である空中線電力特定情報を格納する記録部１５と、電源電圧を測定する測定部１６１と、記録部１５が格納している空中線電力特定情報と、測定部１６１が測定した電源電圧とに基づいて、空中線電力が基準範囲内となるように感知器１００に設定値を設定する設定制御手段と、を備え、記録部１５は、複数の設定値と複数の設定値に対応する複数の空中線電力の値を、複数の電源電圧の値分特定する情報を空中線電力特定情報として格納する。【選択図】図１
2020178218.tif 000002
【特許請求の範囲】
【請求項１】
自己に設定される設定値及び自己に供給される電源電圧に応じた空中線電力にて電波を送信する無線送信装置であって、
複数の前記電源電圧の値と、複数の前記電源電圧の値において前記空中線電力が基準範囲内となる複数の前記設定値とを対応付けている情報である空中線電力特定情報を格納する空中線電力特定情報格納手段と、
前記電源電圧を測定する測定手段と、
前記空中線電力特定情報格納手段が格納している前記空中線電力特定情報と、前記測定手段が測定した前記電源電圧とに基づいて、前記空中線電力が基準範囲内となるように前記無線送信装置に前記設定値を設定する設定制御手段と、
を備える無線送信装置。
【請求項２】
前記無線送信装置は、前記電源電圧を供給する電池、を備え、
前記測定手段は、前記電池の出力電圧を前記電源電圧として測定する、
請求項１に記載の無線送信装置。
【請求項３】
前記空中線電力特定情報格納手段は、前記無線送信装置に供給することが推奨されている前記電源電圧の範囲における下限値を格納し、
前記電源電圧の範囲における下限値は、前記設定値を最大としても前記空中線電力が基準範囲の上限値を超えない値であり、
前記設定制御手段は、前記空中線電力特定情報格納手段に格納された前記電源電圧の範囲における下限値よりも、前記測定手段が測定した前記電源電圧が低い場合、最大の前記設定値を設定する、
請求項１又は２に記載の無線送信装置。
【請求項４】
前記空中線電力特定情報格納手段は、前記無線送信装置に供給することが推奨されている前記電源電圧の範囲における上限値を格納し、
前記設定制御手段は、前記空中線電力特定情報格納手段に格納された前記電源電圧の範囲における上限値よりも、前記測定手段が測定した前記電源電圧が高い場合、当該上限値において前記空中線電力が基準範囲内となる複数の前記設定値の内の、最低の前記設定値を設定する、
請求項１から３の何れか一項に記載の無線送信装置。
【発明の詳細な説明】
【技術分野】
【０００１】
本発明は、無線送信装置に関する。
【背景技術】
【０００２】
従来、電源としての電池からの出力電圧を用いて動作する無線式感知器が知られていた（例えば、特許文献１等）。この無線式感知器を含む従来の無線式感知器は、電池からの出力電圧の値に応じた値の空中線電力を出力する送受信回路を備えており、当該送受信回路から無線式感知器のアンテナに空中線電力を供給して、当該アンテナから無線火災信号を出力していた。一方で、無線式感知器においては、所定の規定（例えば、電波法等の規定）を遵守するために当該規定に該当する基準範囲内の値の空中線電力がアンテナに供給されるように構成する必要があった。
【０００３】
しかしながら、無線式感知器においては、電池の出力電圧が減少した場合に送受信回路からの空中線電力が減少し、また、電池の出力電圧が増加した場合に送受信回路からの空中線電力が増加するように変化して、当該空中線電力の値が基準範囲から逸脱してしまう可能性があった。そこで、空中線電力の値が基準範囲から逸脱するのを防止する技術として、例えば、フィードバック回路や安定化電源回路を用いる技術が提案されていた。
【０００４】
フィードバック回路を用いる技術においては、アンテナに供給された空中線電力を検出して、検出した当該電力を用いて送受信回路をフィードバック処理することにより、空中線電力の値を一定に維持し、空中線電力の値が基準範囲から逸脱するのを防止していた。また、安定化電源回路を用いる技術においては、電池と送受信回路との間に安定化電源回路を設けることにより、電池からの出力電圧に基づいて安定化電源回路にて一定の値の電源電圧を生成し、生成した当該電源電圧を送受信回路に供給することにより、空中線電力の大きさを一定に維持し、空中線電力の値が基準範囲から逸脱するのを防止していた。
【先行技術文献】
【特許文献】
【０００５】
【特許文献１】特開２０１２−２３４３５８号公報
【発明の概要】
【発明が解決しようとする課題】
【０００６】
しかしながら、空中線電力の値が基準範囲から逸脱するのを防止する従来の技術においては、以下に示すように、無線式感知器の回路構成が複雑化したり、あるいは、消費電力が増大したりする可能性があった。
【０００７】
すなわち、例えば、フィードバック回路を用いる従来の技術においては、高周波で微弱な空中線電力を検出するために、複雑な回路（例えば、高周波電流を検出するピックアップ回路、又は、高周波電流を増幅する増幅回路等）を設ける必要があり、無線式感知器の回路構成が複雑化する可能性があった。また、例えば、安定化電源回路を用いる従来の技術においては、電池からの出力電圧の変動の可能性を考慮して当該出力電圧の比較的低いレベルにて電源電圧を生成する必要があり、電力効率が低下していまい、消費電力が増大する可能性があった。
【０００８】
本発明は上記問題に鑑みてなされたもので、空中線電力を基準範囲内にできる無線送信装置において、回路構成を簡素化し且つ消費電力を低減することを目的とする。
【課題を解決するための手段】
【０００９】
上述した課題を解決し、目的を達成するために、請求項１に記載の無線送信装置は、自己に設定される設定値及び自己に供給される電源電圧に応じた空中線電力にて電波を送信する無線送信装置であって、複数の前記電源電圧の値と、複数の前記電源電圧の値において前記空中線電力が基準範囲内となる複数の前記設定値とを対応付けている情報である空中線電力特定情報を格納する空中線電力特定情報格納手段と、前記電源電圧を測定する測定手段と、前記空中線電力特定情報格納手段が格納している前記空中線電力特定情報と、前記測定手段が測定した前記電源電圧とに基づいて、前記空中線電力が基準範囲内となるように前記無線送信装置に前記設定値を設定する設定制御手段と、を備える。
【００１０】
また、請求項２に記載の無線送信装置は、請求項１に記載の無線送信装置において、前記無線送信装置は、前記電源電圧を供給する電池、を備え、前記測定手段は、前記電池の出力電圧を前記電源電圧として測定する。
【００１１】
また、請求項３に記載の無線送信装置は、請求項１又は２に記載の無線送信装置において、前記空中線電力特定情報格納手段は、前記無線送信装置に供給することが推奨されている前記電源電圧の範囲における下限値を格納し、前記電源電圧の範囲における下限値は、前記設定値を最大としても前記空中線電力が基準範囲の上限値を超えない値であり、前記設定制御手段は、前記空中線電力特定情報格納手段に格納された前記電源電圧の範囲における下限値よりも、前記測定手段が測定した前記電源電圧が低い場合、最大の前記設定値を設定する。
【００１２】
また、請求項４に記載の無線送信装置は、請求項１から３の何れか一項に記載の無線送信装置において、前記空中線電力特定情報格納手段は、前記無線送信装置に供給することが推奨されている前記電源電圧の範囲における上限値を格納し、前記設定制御手段は、前記空中線電力特定情報格納手段に格納された前記電源電圧の範囲における上限値よりも、前記測定手段が測定した前記電源電圧が高い場合、当該上限値において前記空中線電力が基準範囲内となる複数の前記設定値の内の、最低の前記設定値を設定する。
【発明の効果】
【００１３】
請求項１に記載の無線送信装置によれば、空中線電力特定情報と測定した電源電圧とに基づいて、空中線電力が基準範囲内となるように設定値を設定することにより、例えば、フィードバック処理を行う必要がないので空中線電力を検出するための複雑な回路が不要となり、また、一定の値の電源電圧を生成する必要がないために電力効率を維持することができるので、空中線電力を基準範囲内にできる無線送信装置において、回路構成を簡素化し且つ消費電力を低減することが可能となる。
【００１４】
請求項２に記載の無線送信装置によれば、無線送信装置が電源電圧を供給する電池を備えており、電池の出力電圧を電源電圧として測定することにより、例えば、出力電圧が比較的激しく変動する電池を用いた場合においても、空中線電力を基準範囲内にできる無線送信装置において、回路構成を簡素化し且つ消費電力を低減することが可能となる。また、例えば、無線送信装置の消費電力を低減することができるので、電池を延命させることが可能となる。また、例えば、商用電源を用いる必要がないので、有線接続が不要となり、あらゆる位置に設けることが可能で施工性に優れた無線送信装置を提供することが可能となる。
【００１５】
請求項３に記載の無線送信装置によれば、電源電圧の範囲における下限値であって、設定値を最大としても空中線電力が基準範囲の上限値を超えない値の当該下限値よりも、測定した電源電圧が低い場合、最大の設定値を設定することにより、例えば、空中線電力が基準範囲の上限値を超えないことを確保しつつより高い空中線電力を出力することができるので、防災性を向上させることが可能となる。
【００１６】
請求項４に記載の無線送信装置によれば、供給することが推奨されている電源電圧の範囲における上限値よりも、測定した電源電圧が高い場合、当該上限値において空中線電力が基準範囲内となる複数の設定値の内の、最低の設定値を設定することにより、例えば、基準範囲の上限値との間に余裕を持たせた状態で空中線電力を出力することが可能となる。
【図面の簡単な説明】
【００１７】
【図１】本実施の形態に係る感知器のブロック図である。
【図２】感知器の一部の回路ブロック図である。
【図３】空中線電力特定グラフの例である。
【図４】空中線電力特定情報の例である。
【図５】設定処理のフローチャートである。
【図６】火災警報処理のフローチャートである。
【発明を実施するための形態】
【００１８】
以下に、本発明に係る無線送信装置の実施の形態を図面に基づいて詳細に説明する。なお、この実施の形態によりこの発明が限定されるものではない。
【００１９】
〔実施の形態の基本的概念〕
まずは、実施の形態の基本的概念について説明する。実施の形態は、概略的に、無線送信装置に関するものである。
【００２０】
ここで、「無線送信装置」とは、電波を送信する送信手段であり、具体的には、自己に設定される設定値及び自己に供給される電源電圧に応じた空中線電力にて電波を送信する送信手段であり、例えば、防災関連装置、防災非関連装置等を含む概念である。
【００２１】
まず、「防災関連装置」とは、防災の目的のために用いられる装置であり、例えば、感知器、及び中継器等を含む概念である。また、「感知器」とは、監視領域の異常を判定する機器であり、具体的には、監視領域の検出対象を検出することにより、火災、ガス漏れ等の異常を判定する機器であり、例えば、煙感知器、熱感知器、火災感知器、及びガス漏れ感知器等を含む概念である。また、「監視領域」とは、感知器による監視の対象となっている領域であり、具体的には、一定の広がりを持った空間であって、屋内あるいは屋外の空間であって、例えば、建物の廊下、階段、又は部屋等の空間を含む概念である。また、「検出対象」とは、感知器による検出の対象であり、具体的には、監視領域の異常に関連するものであり、例えば、煙、熱、炎、及び一酸化炭素等の有毒ガス等を含む概念である。「中継器」とは、信号を中継する装置であり、例えば、感知器と防災受信機との間で火災が発生したことを特定する信号である火災発生信号を中継する装置等を含む概念である。また、「防災非関連装置」とは、防災以外の目的のために用いられる装置であり、例えば、携帯電話機又はタブレット端末の如き携帯端末、あるいは、据え置き型のコンピュータ等を含む概念である。
【００２２】
また、「設定値」とは、無線送信装置に設定される値であり、具体的には、無線送信装置の空中線電力の値を定めるために設定される値であり、例えば、空中線電力の電流相当分に対応する値である。また、「電源電圧」とは、無線送信装置を動作させるために当該電源電圧に供給される電圧であり、具体的には、電源から供給される電圧であり、例えば、電源としての電池から供給される電圧、あるいは、電源としての商用電源から供給される電圧等を含む概念である。また、「空中線電力」とは、無線送信装置から電波を出力するための電力であり、具体的には、無線送信装置のアンテナに供給される電力である。また、「電波」とは、無線通信等に用いられる電磁波であり、具体的には、空中線電力に応じたパワーにて無線送信装置から送信されるものである。
【００２３】
そして、以下に示す実施の形態では、「無線送信装置」が「火災感知器」であり、「監視領域」が「建物の部屋」であり、「検出対象」が「煙（具体的には、煙の粒子）」であり、「電源電圧」が「電源としての電池から供給される電圧」である場合について説明する。
【００２４】
（構成）
まず、本実施の形態に係る感知器の構成について説明する。図１は、本実施の形態に係る感知器のブロック図であり、図２は、感知器の一部の回路ブロック図である。なお、図２では、感知器１００における特に特徴的な一部の構成の電気回路の概略例が示されており、感知器１００における図２に示されている構成以外の構成の電気回路については、公知の電気回路を含む任意のものを適用することができることとして、以下説明する。
【００２５】
図１に示す感知器１００は、無線送信装置であり、具体的には、監視領域の検出対象である煙を検出することにより火災を判定する機器であり、例えば、電源部１１から供給される電源電圧によって動作するものであり、一例としては、電源部１１、検出部１２、警報部１３、通信部１４、記録部１５、及び制御部１６を備える。
【００２６】
（構成−電源部）
図１の電源部１１は、感知器１００に電源電圧を供給する供給手段である。この電源部１１の具体的な種類や構成は任意であるが、例えば、図２の電池１１１を備えて構成することができる。電池１１１は、感知器１００を動作させるために電源電圧を供給するものであり、例えば、リチウム電池等の任意の電池である。
【００２７】
（構成−検出部）
図１の検出部１２は、監視領域の煙の濃度を検出する検出手段である。この検出部１２の具体的な種類や構成は任意であるが、例えば、散乱光式のものであって、不図示の発光部及び受光部を備えて構成することができる。
【００２８】
（構成−警報部）
図１の警報部１３は、感知器１００が火災を判定した場合に、警報を出力する警報手段である。この警報部１３の具体的な種類や構成は任意であるが、例えば、音声にて警報を出力する不図示のスピーカ、あるいは、発光表示にて警報を出力する不図示の表示灯等を備えるものである。
【００２９】
（構成−通信部）
図１の通信部１４は、電波を送信する通信手段である。この通信部１４の具体的な種類や構成は任意であるが、例えば、図２のアンテナ１４１を備えて構成することができる。アンテナ１４１は、電波を出力するものであり、例えば、自己に供給された空中線電力に応じたパワーの電波を出力するものである。
【００３０】
（構成−記録部）
図１の記録部１５は、感知器１００の動作に必要なプログラム及び各種のデータを記録する記録手段であり、特に、空中線電力特定情報を格納する空中線電力特定情報格納手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ、ＲＯＭ、ＵＳＢメモリ、ＳＤカードの如き電気的記録媒体を含む、その他の任意の記録媒体を用いることができる。
【００３１】
また、この記録部１５には、例えば、火災判定閾値及び空中線電力特定情報が格納されている。「火災判定閾値」とは、監視領域における火災発生を判定するために用いられる閾値であって、図１の検出部１２で検出される煙の濃度と比較されるものである。そして、この火災判定閾値については、不図示の入力手段を用いて、一例として「１０（％／ｍ）」が入力されて格納されているものとする。
【００３２】
また、「空中線電力特定情報」とは、複数の電源電圧の値と、複数の電源電圧の値において空中線電力が基準範囲内となる複数の設定値とを対応付けている情報であり、例えば、複数の設定値と当該複数の設定値に対応する複数の空中線電力の値を、複数の電源電圧の値分特定する情報であり、一例としては、空中線電力特定グラフが示す数値を示すテーブル情報である。なお、「基準範囲」とは、供給するべき空中線電力の基準となる範囲であり、具体的には、供給することが許容されている空中線電力の範囲である。この基準範囲については、任意に設定することができるが、ここでは、例えば、所定の法律（例えば、電波法又は当該法に関連する規則等）に基づいて、出力するべき電波のパワーに対応する基準値を基準にして、当該基準値よりも当該基準値の２割分大きな値を基準上限値（上限値）とし、また、当該基準値よりも当該基準値の５割分小さな値を基準下限値（下限値）として、基準下限値以上基準上限値未満の範囲を用いることとする。詳細には、ここでは、例えば、当該基準値を１０．０（ｍＷ）として、基準範囲として基準下限値である５．０（ｍＷ）以上〜基準上限値である１２．０（ｍＷ）未満を用いることとする。
【００３３】
図３は、空中線電力特定グラフの例である。なお、この図３において具体的に記載されている数値については、説明の便宜上の記載であることとする（図４も同様とする）。「空中線電力特定グラフ」とは、複数の設定値と当該複数の設定値に対応する複数の空中線電力の値を、複数の電源電圧の値分特定するグラフであり、例えば、感知器１００に実装される電気回路（例えば、図２の後述する無線ＩＣ（Ｉｎｔｅｇｒａｔｅｄ  Ｃｉｒｃｕｉｔ）１６ａ）についての、設計仕様又は実測等によって規定されるグラフである。この空中線電力特定グラフは、縦軸にて空中線電力の大きさの値を示しており、横軸において設定値を示しているが、特に、横軸の設定値としては、詳細には、空中線電力の電流相当分に対応する値であり、１０進数の数値にて無線ＩＣ１６ａのレジスタに設定するべきレジスタ値を特定しており、つまり、（無線ＩＣ１６ａの仕様によるが、ここでは、）数値が大きいものほど無線ＩＣ１６ａから出力される電流の値（つまり、空中線電力の値）が大きくなることを示している。また、空中線電力特定グラフは、図３に示すように、例えば、無線ＩＣ１６ａに設定される設定値と当該設定値が設定された場合の空中線電力の値のプロットを結ぶ線を、無線ＩＣ１６ａに供給される複数の電源電圧の値分特定するものであり、詳細には、第１空中線電力特定曲線Ｌ１、第２空中線電力特定曲線Ｌ２、及び第３空中線電力特定曲線Ｌ３を備えるものである。
【００３４】
なお、無線ＩＣ１６ａについては、当該無線ＩＣ１６ａの仕様等に基づいて、下限動作電圧（例えば、２．０（Ｖ））以上〜上限動作電圧（例えば、３．４（Ｖ））以下の範囲である動作電圧範囲（電源電圧の範囲）の電源電圧を供給して動作させることが推奨されていることとし、第１空中線電力特定曲線Ｌ１は、無線ＩＣ１６ａに下限動作電圧である２．０（Ｖ）の電源電圧が供給された場合における、無線ＩＣ１６ａに設定される設定値と当該設定値が設定された場合に当該無線ＩＣ１６ａからアンテナ１４１に供給される空中線電力の値を示しており、第２空中線電力特定曲線Ｌ２、及び第３空中線電力特定曲線Ｌ３は各々、無線ＩＣ１６ａに下限動作電圧及び上限動作電圧の間の電圧である２．８（Ｖ）、上限動作電圧である３．４（Ｖ）の電源電圧が供給された場合における、設定値と空中線電力の値とを示している。特に、下限動作電圧（例えば、２．０（Ｖ））については、設定値を最大としても空中線電力が基準範囲の上限値を超えない程度に低くなるように設定されることが望ましく、この場合について、例示して説明する。
【００３５】
図４は、空中線電力特定情報の例である。本実施の形態では、この図４の空中線電力特定情報が図１の記録部１５に格納されているものとして、説明する。この空中線電力特定情報は、例えば、項目「電源電圧情報」、項目「設定値情報」、及び項目「空中線電力情報」と、各項目に対応する情報とを、相互に関連付けて構成されている。ここで、項目「電源電圧情報」に対応する情報は、無線ＩＣ１６ａに供給される電源電圧の値を特定する電源電圧情報である（図４では、単位Ｖであり、「２．０」等）。また、項目「設定値情報」に対応する情報は、無線ＩＣ１６ａに設定される設定値を特定する設定値情報である（図４では、図３の横軸に対応する１０進数のレジスタ値である「５」等）。また、項目「空中線電力情報」は、無線ＩＣ１６ａが出力する空中線電力の値を特定する空中線電力情報である（図４では、単位ｍＷであり、「５．５」等）。そして、この各情報については、感知器１００に実装される電気回路（例えば、無線ＩＣ１６ａ）の設計仕様又は実測等に基づいて不図示の入力手段を用いて、格納されているものとする。
【００３６】
（構成−制御部）
図１の制御部１６は、感知器１００を制御する制御手段であり、具体的には、ＣＰＵ等、当該ＣＰＵ等上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る制御プログラムは、任意の記録媒体又はネットワークを介して感知器１００にインストールされることで、制御部１６の各部を実質的に構成する。
【００３７】
この制御部１６は、機能概念的に、測定部１６１、及び設定制御部１６２を備える。測定部１６１は、電源電圧を測定する測定手段である。また、設定制御部１６２は、記録部１５が格納している空中線電力特定情報と、測定部１６１が測定した電源電圧とに基づいて、空中線電力が基準範囲内となるように感知器１００に設定値を設定する設定制御手段である。これらの各手段の実装手法は任意であるが、例えば、図２の無線ＩＣ１６ａの少なくとも一部の機能として実装される。
【００３８】
（構成−制御部−無線ＩＣ）
無線ＩＣ１６ａは、電波の出力に関する各種制御を行う出力制御手段であり、具体的には、制御部１６の一部として感知器１００に実装されているものであり、例えば、電池１１１から出力される電源電圧によって動作するものであって、自己に供給される電源電圧の値及び自己に設定されている設定値に応じた値の空中線電力を出力するものであり、一例としては、電源端子Ｔ１、電圧測定端子Ｔ２、空中線電力出力端子Ｔ３、前述の測定部１６１、及び設定制御部１６２を備える。なお、無線ＩＣ１６ａの周辺には、任意のバッファ回路（例えば、ダイオード、抵抗、キャパシタ、及び増幅器等の任意の回路）を設けてもよいが、ここでは、これらの任意のバッファ回路の説明については省略する。
【００３９】
電源端子Ｔ１は、電池１１１から出力される電源電圧（つまり、電力）が供給される端子であり、例えば、電池１１１に電気的に接続されているものである。また、電圧測定端子Ｔ２は、電池１１１の出力電圧（つまり、電源電圧）を測定するための端子であり、例えば、電源端子Ｔ１と電池１１１との間に電気的に接続されているものである。空中線電力出力端子Ｔ３は、空中線電力を出力するための端子であり、例えば、アンテナ１４１に電気的に接続されているものである。また、測定部１６１は、前述の測定手段であり、例えば、電圧測定端子Ｔ２に供給される電圧を測定するものである。また、設定制御部１６２は、前述の設定制御手段であり、例えば、空中線電力が基準範囲内となるように無線ＩＣ１６ａに設定値を設定するものである。なお、「空中線電力が基準範囲内となるように無線ＩＣ１６ａに設定値を設定する」とは、例えば、無線ＩＣ１６ａに設定値を設定することにより、空中線電力を基準範囲内とすること等を含む概念である。なお、無線ＩＣ１６ａの仕様及び当該無線ＩＣ１６ａの利用環境（例えば、供給される電源電圧の値）に起因して、何れの設定値を設定しても空中線電力が基準範囲内とならいことも想定され得るが、このような場合、「空中線電力が基準範囲内となるように無線ＩＣ１６ａに設定値を設定する」については、例えば、空中線電力が最も基準範囲に近付く設定値を無線ＩＣ１６ａに設定することを示す概念であるものと解釈してもよい。そして、制御部１６の各部により行われる処理については、後述する。
【００４０】
（処理）
次に、このように構成される図１の感知器１００によって実行される処理について説明する。具体的には、設定処理及び火災警報処理について説明する。
【００４１】
（処理−設定処理）
図５は、設定処理のフローチャートである。「設定処理」とは、感知器１００に設定値を設定する処理である。この設定処理を実行するタイミングは任意であるが、例えば、感知器１００の電源をオンした後に、繰り返し実行を開始するものとして、実行開始後から説明する（火災警報処理も同様とする）。
【００４２】
まず、図５に示すように、ＳＡ１において測定部１６１は、電源電圧を測定する。具体的な手法は任意であるが、例えば、測定部１６１が任意の電圧測定回路を備えていることとし、この電圧測定回路を用いて、図２の電圧測定端子Ｔ２に供給される電圧（つまり、電池１１１の出力電圧）を測定する。ここでは、例えば、電源電圧として２．４（Ｖ）を測定する。
【００４３】
図５に戻って、ＳＡ２において設定制御部１６２は、動作電圧範囲を逸脱しているか否かを判定する。具体的な手法は任意であるが、例えば、図２の無線ＩＣ１６ａの動作電圧範囲（つまり、前述の上限動作電圧の値及び下限動作電圧の値）が記録部１５に記録されていることとし、ＳＡ１で測定した電源電圧を取得し、この取得した電源電圧が当該記録されている無線ＩＣ１６ａの動作電圧範囲を逸脱しているか否かを判定する。そして、ＳＡ１で測定した電源電圧が、下限動作電圧（例えば、２．０（Ｖ））未満、あるいは、上限動作電圧（例えば、３．４（Ｖ））より大きい場合、ＳＡ１で測定した電源電圧が動作電圧範囲を逸脱しているものと判定し（ＳＡ２のＹＥＳ）、ＳＡ３に移行する。また、ＳＡ１で測定した電源電圧が、下限動作電圧以上〜上限動作電圧以下である場合、ＳＡ１で測定した電源電圧が動作電圧範囲を逸脱していないものと判定し（ＳＡ２のＮＯ）、ＳＡ４に移行する。ここでは、例えば、ＳＡ１で測定した電源電圧が２．４（Ｖ）である場合には、ＳＡ１で測定した電源電圧が動作電圧範囲を逸脱していないものと判定する。
【００４４】
図５に戻って、ＳＡ３において設定制御部１６２は、動作電圧範囲逸脱を警報する。具体的な手法は任意であるが、例えば、図１の警報部１３の不図示のスピーカ及び表示灯を介して警報を出力する。ここでは、例えば、「電源電圧異常です。点検にて電池回りを確認して下さい」との警報音声についてスピーカを介して出力し、また、表示灯を点滅することにより、動作電圧範囲を逸脱していることを特定する警報を出力し、この後、処理を終了する。
【００４５】
図５に戻って、ＳＡ２の判定にて動作電圧範囲を逸脱していないものと判定した（ＳＡ２のＮＯ）後の、ＳＡ４において設定制御部１６２は、設定値を決定する。具体的な手法は任意であるが、例えば、ＳＡ１で測定した電源電圧と、図１の記録部１５の空中線電力特定情報とを取得し、これらの取得した情報に基づいて、無線ＩＣ１６ａから出力される空中線電力の値が基準範囲内となるように決定する。より詳細には、図４の各情報に基づいて図３の空中線電力特定グラフを描けることに着目し、更に、電源電圧が動作電圧範囲内となっているので、ＳＡ１で測定した電源電圧に対応する設定値及び空中線電力の関係が、図３の第１空中線電力特定曲線Ｌ１及び第３空中線電力特定曲線Ｌ３によって囲まれる領域によって特定される点に着目して、空中線電力の値が基準範囲内となるように決定する。ここでは、例えば、ＳＡ１で測定した電源電圧が２．４（Ｖ）である場合には、図３において当該２．４（Ｖ）が含まれる領域である第１空中線電力特定曲線Ｌ１及び第２空中線電力特定曲線Ｌ２の間の領域において、電源電圧が低い方の第１空中線電力特定曲線Ｌ１にて基準範囲の基準下限値以上となり、且つ、電源電圧が高い方の第２空中線電力特定曲線Ｌ２にて基準範囲の基準上限値未満となる設定値として「５」〜「９」を取得し、取得した「５」〜「９」の内の１つの設定値を任意の手法（ここでは、より確実に無線送信を行うことを考慮してより高い（大きい）設定値を特定する手法を用いることとする）で特定し、特定した設定値である「９」を決定する。
【００４６】
図５に戻って、ＳＡ５において設定制御部１６２は、設定値を設定する。具体的な手法は任意であるが、ＳＡ４で決定した設定値を取得し、取得した設定値を無線ＩＣ１６ａのレジスタに設定する。ここでは、例えば、「９」を設定する。これにて、設定処理を終了する。
【００４７】
（処理−火災警報処理）
図６は、火災警報処理のフローチャートである。「火災警報処理」とは、火災発生の警報を行う処理であり、具体的には、少なくとも、火災が発生したことを警報するための無線信号である火災発生無線信号を出力する処理であり、例えば、設定処理を少なくとも１回実行した後に実行される処理である。
【００４８】
まず、図６に示すように、ＳＢ１において制御部１６は、火災が発生したか否かを判定する。具体的な手法は任意であるが、例えば、図１の検出部１２が検出した煙の濃度と、記録部１５の火災判定閾値とを取得し、取得した煙の濃度と火災判定閾値とを相互に比較して、比較結果に基づいて判定する。具体的には、取得した煙の濃度が火災判定閾値未満である場合には、火災が発生していないものと判定し（ＳＢ１のＮＯ）、火災が発生したものと判定するまで、繰り返しＳＢ１を実行する。また、取得した煙の濃度が火災判定閾値以上である場合には、火災が発生したものと判定し（ＳＢ１のＹＥＳ）、ＳＢ２に移行する。ここでは、例えば、取得した煙の濃度が「１５」である場合、火災判定閾値が「１０」であるので、火災が発生したものと判定する。
【００４９】
図６に戻って、ＳＢ２において制御部１６は、火災発生を警報する。具体的な手法は任意であるが、例えば、図１の警報部１３の不図示のスピーカ及び表示灯を介して警報を出力する。ここでは、例えば、「ウー、ウー、火災が発生しました」との警報音声についてスピーカを介して出力し、また、表示灯を点灯することにより火災発生を特定する警報の出力を開始する。
【００５０】
図６に戻って、ＳＢ３において設定制御部１６２は、火災発生無線信号を出力する。ここで、「火災発生無線信号」とは、火災発生を特定する無線信号（つまり、電波）であり、具体的には、感知器１００から出力される無線信号であり、例えば、当該感知器１００から不図示の防災受信機に対して間接的に又は直接的に送信される無線信号である。具体的な手法は任意であるが、例えば、図２の設定制御部１６２は、電池１１１から出力される電源電圧（つまり、電力）を用いて、図５のＳＡ５にて設定された設定値に対応する空中線電力をアンテナ１４１に供給することにより、火災発生無線信号の出力を開始する。ここでは、例えば、電池１１１から出力される電源電圧が２．４（Ｖ）であり、ＳＡ５にて「９」が設定された場合、図３において８．０（ｍＷ）と１１．６（ｍＷ）の間の空中線電力（例えば、９．５（ｍＷ）程度）を供給することになり、つまり、基準範囲内の空中線電力を供給して火災発生無線信号を出力することになる。
【００５１】
なお、図５のＳＡ２にて逸脱しているもの（ＳＡ２のＹＥＳ）と繰り返し判定し続けた場合、ＳＡ５にて設定値が設定されないことになり、このＳＢ３にて火災発生無線信号を出力できなくなる可能性があるが、防災性向上等の観点から、ＳＡ５にて設定値が設定されていない場合には、以下の処理を行うこととする。
【００５２】
まず、設定制御部１６２が、直近に図５のＳＡ１で測定した電源電圧の値を取得し、記録部１５に記録されている前述の上限動作電圧の値及び下限動作電圧の値を取得し、これらの取得結果を相互に比較する。そして、取得した電源電圧の値が下限動作電圧の値（図３における「２．０」Ｖ）未満である場合、このＳＢ３にて最大の設定値（例えば、図３に図示されている設定値である「１」〜「１７」に関しては「１７」）を設定して火災発生無線信号を出力することとする。また、取得した電源電圧の値が上限動作電圧の値（図３における「３．４」Ｖ）より大きい（高い）場合、当該上限動作電圧において空中線電力が基準範囲内となる複数の設定値（つまり、図３では「２」〜「６」）の内の、最低の設定値である「２」を特定し、特定した「２」を設定値として設定して火災発生無線信号を出力することとする。
【００５３】
図６に戻って、ＳＢ４において制御部１６は、復旧するか否かを判定する。具体的な手法は任意であるが、例えば、感知器１００に対する所定の復旧操作が行われたか否かに基づいて判定する。そして、所定の復旧操作が行われていない場合、復旧を行わないものと判定し（ＳＢ４のＮＯ）、復旧を行うものと判定するまで、繰り返しＳＢ４を実行する。また、所定の復旧操作が行われた場合、復旧を行うものと判定し（ＳＢ４のＹＥＳ）、ＳＢ５に移行する。
【００５４】
次に、ＳＢ５において制御部１６は、復旧を行う。具体的な手法は任意であるが、例えば、ＳＢ２で開始した警報及びＳＢ３で開始した火災発生無線信号の出力を停止して復旧する。これにて、火災警報処理を終了する。
【００５５】
（実施の形態の効果）
このように本実施の形態によれば、空中線電力特定情報と測定した電源電圧とに基づいて、空中線電力が基準範囲内となるように設定値を設定することにより、例えば、フィードバック処理を行う必要がないので空中線電力を検出するための複雑な回路が不要となり、また、一定の値の電源電圧を生成する必要がないために電力効率を維持することができるので、空中線電力を基準範囲内にできる感知器１００において、回路構成を簡素化し且つ消費電力を低減することが可能となる。
【００５６】
また、感知器１００が電源電圧を供給する電池１１１を備えており、電池１１１の出力電圧を電源電圧として測定することにより、例えば、出力電圧が比較的激しく変動する電池１１１を用いた場合においても、空中線電力を基準範囲内にできる感知器１００において、回路構成を簡素化し且つ消費電力を低減することが可能となる。また、例えば、感知器１００の消費電力を低減することができるので、電池１１１を延命させることが可能となる。また、例えば、商用電源を用いる必要がないので、有線接続が不要となり、あらゆる位置に設けることが可能で施工性に優れた感知器１００を提供することが可能となる。
【００５７】
また、電源電圧の範囲における下限値であって、設定値を最大としても空中線電力が基準範囲の上限値を超えない値の当該下限値よりも、測定した電源電圧が低い場合、最大の設定値を設定することにより、例えば、空中線電力が基準範囲の上限値を超えないことを確保しつつより高い空中線電力を出力することができるので、防災性を向上させることが可能となる。
【００５８】
また、供給することが推奨されている電源電圧の範囲における上限値よりも、測定した電源電圧が高い場合、当該上限値において空中線電力が基準範囲内となる複数の設定値の内の、最低の設定値を設定することにより、例えば、基準範囲の上限値との間に余裕を持たせた状態で空中線電力を出力することが可能となる。
【００５９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６０】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６１】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００６２】
（設定処理について（その１））
また、上記実施の形態の図５のＳＡ３の後に処理を終了せずに、ＳＡ４に移行させてもよい。この場合のＳＡ４においては、下限動作電圧（例えば、図３の２．０（Ｖ））又は上限動作電圧（例えば、図３の３．４（Ｖ））からの電源電圧の逸脱量を考慮して、空中線電力が基準範囲内となるように又は基準範囲に近付くように設定値を決定し、ＳＡ５にて当該設定値を設定してもよい。
【００６３】
（設定処理について（その２））
また、上記実施形態の図５のＳＡ４において設定値を決定するために、例えば、図４の電源電圧情報の「２．０」及び「２．８」の間、「２．８」及び「３．４」の間の設定値情報と空中線電力情報との関係を求めるための補正手段（補正値、あるいは、補正式）を記録部１５に格納しておき、この格納されている補正手段を用いて設定値を決定してもよい。
【００６４】
（回路ブロックについて（その１））
また、上記実施の形態の回路ブロックを任意に変更してもよい。例えば、無線ＩＣ１６ａについて電圧測定端子Ｔ２を省略した上で、電源端子Ｔ１側にて電源電圧の測定も行ってもよい。
【００６５】
（回路ブロックについて（その２））
また、上記実施の形態の図２の無線ＩＣ１６ａに、感知器１００を制御するための全ての機能を実装してもよいし、あるいは、測定部１６１又は設定制御部１６２の少なくとも一方を、無線ＩＣ１６ａとは異なる回路にて実現してもよい。
【００６６】
（空中線電力特定情報について（その１））
また、上記実施の形態の空中線電力特定情報について、複数の電源電圧の値の範囲毎に、複数の電源電圧の値において空中線電力が基準範囲内となる複数の設定値とを出荷時等に対応付けて空中線電力特定情報として記憶させるようにしても良い。
【００６７】
（空中線電力特定情報について（その２））
また、上記実施の形態では、記録部１５の空中線電力特定情報として、図４に示すように、電源電圧情報３つ分を格納する場合について説明したが、これに限らない。例えば、下限動作電圧及び上限動作電圧の間の電圧分解能を向上させて、４つ分以上格納してもよいし、あるいは、「２．８」を省略して２つ分格納してもよい。特に、図４において、空中線電力特定情報として電源電圧情報４つ分以上を格納する場合には、図５のＳＡ４において設定値を決定する場合に、ＳＡ１で測定した電源電圧に最も近い情報を利用して、設定値を決定してもよい。
【００６８】
（空中線電力特定情報について（その３））
また、上記実施の形態では、記録部１５の空中線電力特定情報として、図４に示すように、空中線電力が基準範囲内となるか否かに関わらず、図３の空中線電力特定グラフに対応する各情報を格納する場合について説明したが、これに限らない。例えば、空中線電力が基準範囲内となるものに対応する情報のみを図４の各情報として格納し、この情報を用いて各処理を行ってもよい。つまり、複数の電源電圧の値と、複数の電源電圧の値において空中線電力が基準範囲内となる複数の設定値とを対応付けている情報である限りにおいて、任意情報を格納して処理してもよい。
【００６９】
（空中線電力特定情報について（その４））
また、上記実施の形態では、記録部１５の空中線電力特定情報としてテーブル情報が格納されている場合について説明したが、これに限らない。例えば、テーブル情報と共に又は当該テーブル情報の代わりに、図３の空中線電力特定グラフに対応する数式を特定する数式情報、又は、空中線電力特定グラフの画像を特定する画像情報等の任意情報を、空中線電力特定情報として格納し、この情報を用いて各処理を行ってもよい。
【００７０】
（他の情報について）
また、上記実施の形態の記録部１５に、設定値を最大としても空中線電力が基準範囲の上限値を超えない電源電圧の値の内の最大値を格納し、設定制御部１６２が、記録部１５に格納された当該最大値よりも、測定部１６１が測定した電源電圧が低い場合、最大の設定値を設定するように構成してもよい。ここでは、例えば、図３において設定値が最大の「１７」において基準上限値である１２．０（ｍＷ）よりも低くなる複数の電源電圧（例えば０．０１（Ｖ）等の任意の電圧幅で定義された複数の電源電圧）の内の最大値が、図３の第１空中線電力特定曲線Ｌ１に対応する２．０（Ｖ）よりも僅かに高い２．０７（Ｖ）である場合、測定部１６１が測定した電源電圧が「２．０７」Ｖよりも低い場合、最大の設定値である「１７」を設定することになる。このように構成した場合、設定値を最大としても空中線電力が基準範囲の上限値を超えない電源電圧の値の内の最大値よりも、測定した電源電圧が低い場合、最大の設定値を設定することにより、例えば、より高い空中線電力を出力することができるので、防災性を向上させることが可能となる。
【００７１】
（特徴について）
また、上記実施の形態の特徴及び変形例の特徴を任意に組合わせてもよい。
【００７２】
（付記）
付記１の無線送信装置は、自己に設定される設定値及び自己に供給される電源電圧に応じた空中線電力にて電波を送信する無線送信装置であって、複数の前記電源電圧の値と、複数の前記電源電圧の値において前記空中線電力が基準範囲内となる複数の前記設定値とを対応付けている情報である空中線電力特定情報を格納する空中線電力特定情報格納手段と、前記電源電圧を測定する測定手段と、前記空中線電力特定情報格納手段が格納している前記空中線電力特定情報と、前記測定手段が測定した前記電源電圧とに基づいて、前記空中線電力が基準範囲内となるように前記無線送信装置に前記設定値を設定する設定制御手段と、を備える。
【００７３】
また、付記２の無線送信装置は、付記１に記載の無線送信装置において、前記無線送信装置は、前記電源電圧を供給する電池、を備え、前記測定手段は、前記電池の出力電圧を前記電源電圧として測定する。
【００７４】
また、付記３に記載の無線送信装置は、付記１又は２に記載の無線送信装置において、前記空中線電力特定情報格納手段は、前記無線送信装置に供給することが推奨されている前記電源電圧の範囲における下限値を格納し、前記電源電圧の範囲における下限値は、前記設定値を最大としても前記空中線電力が基準範囲の上限値を超えない値であり、前記設定制御手段は、前記空中線電力特定情報格納手段に格納された前記電源電圧の範囲における下限値よりも、前記測定手段が測定した前記電源電圧が低い場合、最大の前記設定値を設定する。
【００７５】
付記４の無線送信装置は、付記１から３の何れか一項に記載の無線送信装置において、前記空中線電力特定情報格納手段は、前記無線送信装置に供給することが推奨されている前記電源電圧の範囲における上限値を格納し、前記設定制御手段は、前記空中線電力特定情報格納手段に格納された前記電源電圧の範囲における上限値よりも、前記測定手段が測定した前記電源電圧が高い場合、当該上限値において前記空中線電力が基準範囲内となる複数の前記設定値の内の、最低の前記設定値を設定する。
【００７６】
（付記の効果）
付記１に記載の無線送信装置によれば、空中線電力特定情報と測定した電源電圧とに基づいて、空中線電力が基準範囲内となるように設定値を設定することにより、例えば、フィードバック処理を行う必要がないので空中線電力を検出するための複雑な回路が不要となり、また、一定の値の電源電圧を生成する必要がないために電力効率を維持することができるので、空中線電力を基準範囲内にできる無線送信装置において、回路構成を簡素化し且つ消費電力を低減することが可能となる。
【００７７】
付記２に記載の無線送信装置によれば、無線送信装置が電源電圧を供給する電池を備えており、電池の出力電圧を電源電圧として測定することにより、例えば、出力電圧が比較的激しく変動する電池を用いた場合においても、空中線電力を基準範囲内にできる無線送信装置において、回路構成を簡素化し且つ消費電力を低減することが可能となる。また、例えば、無線送信装置の消費電力を低減することができるので、電池を延命させることが可能となる。また、例えば、商用電源を用いる必要がないので、有線接続が不要となり、あらゆる位置に設けることが可能で施工性に優れた無線送信装置を提供することが可能となる。
【００７８】
付記３に記載の無線送信装置によれば、電源電圧の範囲における下限値であって、設定値を最大としても空中線電力が基準範囲の上限値を超えない値の当該下限値よりも、測定した電源電圧が低い場合、最大の設定値を設定することにより、例えば、空中線電力が基準範囲の上限値を超えないことを確保しつつより高い空中線電力を出力することができるので、防災性を向上させることが可能となる。
【００７９】
付記４に記載の無線送信装置によれば、供給することが推奨されている電源電圧の範囲における上限値よりも、測定した電源電圧が高い場合、当該上限値において空中線電力が基準範囲内となる複数の設定値の内の、最低の設定値を設定することにより、例えば、基準範囲の上限値との間に余裕を持たせた状態で空中線電力を出力することが可能となる。
【符号の説明】
【００８０】
１１  電源部
１２  検出部
１３  警報部
１４  通信部
１５  記録部
１６  制御部
１６ａ  無線ＩＣ
１００  感知器
１１１  電池
１４１  アンテナ
１６１  測定部
１６２  設定制御部
Ｌ１  第１空中線電力特定曲線
Ｌ２  第２空中線電力特定曲線
Ｌ３  第３空中線電力特定曲線
Ｔ１  電源端子
Ｔ２  電圧測定端子
Ｔ３  空中線電力出力端子
【図１】
2020178218.tif 000003
【図２】
2020178218.tif 000004
【図３】
2020178218.tif 000005
【図４】
2020178218.tif 000006
【図５】
2020178218.tif 000007
【図６】
2020178218.tif 000008